(57)【要約】【課題】作製に使用する材料の無駄を少なくでき、かつ接続対象物の穴を比較的小さくして、配線スペースの増大を図ることの可能なコネクタ留め金具の提供。【解決手段】金属製の板材をプレス加工して製作されたコネクタ留め金具１０である。コネクタに保持される保持部１１から連続してロック部１２を形成する。ロック部は、弾性を備えたバネ部１５ａ，１５ｂと接続対象物に係止する係止部１６ａ，１６ｂとを備えたフック部１４ａ、１４ｂを一対有する。対のフック部のそれぞれのバネ部は、板材の板厚方向において互いに対向している。【選択図】        図１
2004296369.tif 000002
【特許請求の範囲】
【請求項１】
コネクタを接続対象物に固定するためのコネクタ留め金具において、金属製の板材をプレス加工して製作されたものであり、前記コネクタに保持される保持部と、前記保持部から連続して形成されたロック部とを有し、前記ロック部は、弾性を備えたバネ部と前記接続対象物に係止する係止部とを備えたフック部を一対有し、前記対のフック部のそれぞれのバネ部は、前記板材の板厚方向において互いに対向していることを特徴とするコネクタ留め金具。
【請求項２】
前記対のフック部を前記保持部の板状状態における一端及び他端にそれぞれ延設し、前記保持部を前記一端及び他端の間で折り曲げることにより前記バネ部を互いに対向させて前記ロック部を形成した請求項１に記載のコネクタ留め金具。
【請求項３】
前記対のフック部を前記保持部の板状状態における一端の一部及び他部に延設し、前記保持部を前記一部及び他部の間で折り曲げることにより前記バネ部を互いに対向させて前記ロック部を形成した請求項１に記載のコネクタ留め金具。
【請求項４】
請求項１−３のいずれかに記載のコネクタ留め具を備えたコネクタ。
【発明の詳細な説明】
【０００１】
【発明の属する技術分野】
本発明は、コネクタを基板などの接続対象物に固定するための留め具に関する。
【０００２】
【従来の技術】
この種の留め具は例えば特許文献１に開示されている。その留め具は、コネクタに保持される保持部と、接続対象物に係合する対のフック部と、これらのフック部を保持部に結合させた対のバネ部とを有している。対のバネ部は互いに平行にのびている。フック部はバネ部の弾力的な撓みを伴って変位しつつ接続対象物の穴に挿入され、バネ部の復元により、外向きに形成された係止部が接続対象物に係合される。この構造の留め具は、保持部、フック部、及びバネ部が一平面上に形成されるので、平板材からプレス加工により容易に作製され得る。
【０００３】
【特許文献１】
実公平６−４５４６号公報
【０００４】
【発明が解決しようとする課題】
しかしながら、フック部の変位を許すには対のバネ部間にある程度のスペースが必要であるため、作製に使用する材料の無駄が多い。また、接続対象物の穴を比較的大きく形成せざるを得ず、接続対象物の配線スペースも減ってしまう。
【０００５】
それ故に本発明の課題は、作製に使用する材料の無駄を少なくできるコネクタ留め金具を提供することにある。
【０００６】
本発明の他の課題は、接続対象物の穴を比較的小さくして、配線スペースの増大を図ることの可能なコネクタ留め金具を提供することにある。
【０００７】
【課題を解決するための手段】
本発明の一態様によれば、コネクタを接続対象物に固定するためのコネクタ留め金具において、金属製の板材をプレス加工して製作されたものであり、前記コネクタに保持される保持部と、前記保持部から連続して形成されたロック部とを有し、前記ロック部は、弾性を備えたバネ部と前記接続対象物に係止する係止部とを備えたフック部を一対有し、前記対のフック部のそれぞれのバネ部は、前記板材の板厚方向において互いに対向していることを特徴とするコネクタ留め金具が得られる。
【０００８】
前記対のフック部を前記保持部の板状状態における一端及び他端にそれぞれ延設し、前記保持部を前記一端及び他端の間で折り曲げることにより前記バネ部を互いに対向させて前記ロック部を形成してもよい。
【０００９】
前記対のフック部を前記保持部の板状状態における一端の一部及び他部に延設し、前記保持部を前記一部及び他部の間で折り曲げることにより前記バネ部を互いに対向させて前記ロック部を形成してもよい。
【００１０】
また本発明の他の態様によれば、請求項１−３のいずれかに記載のコネクタ留め具を備えたコネクタが得られる。
【００１１】
【発明の実施の形態】
図１−５を参照して、本発明の第１の実施の形態に係るコネクタ留め具及びそれを用いたコネクタについて説明する。
【００１２】
図１（ａ），（ｂ）に示すコネクタ留め具１０は、金属製の平板材をプレス加工して製作されたものであり、コネクタに保持される保持部１１と、保持部１１から連続して形成されたロック部１２とを有している。保持部１１は、一端１１ａと他端１１ｂとの間でＵ字状に折り返された形状を有し、かつ一端１１ａと他端１１ｂとの間にのびた両側縁１１ｃ，１１ｄに矢じり状の圧入部１３を有している。
【００１３】
ロック部１２は一対のフック部１４ａ，１４ｂを有している。一方のフック部１４ａは、保持部１１の一端１１ａから延出形成された、弾性を備えたバネ部１５ａと、バネ部１５ａの延出端部に形成された、回路基板などの接続対象物に係止するための係止部１６ａとを備えている。他方のフック部１４ｂは、保持部１１の他端１１ｂから延出形成された、弾性を備えたバネ部１５ｂと、バネ部１５ｂの延出端部に形成された、接続対象物に係止するための係止部１６ｂとを備えている。バネ部１５ａ，１５ｂは第１の方向Ｄ１、即ち、板材の板厚方向において互いに対向している。また、係止部１６ａ及び１６ｂは、バネ部１５ａ，１５ｂからみて互いに反対側に突出し、合せて矢じり状をなしている。
【００１４】
保持部１１は、互いに間隔をおいて対向した対の板部１１−１，１１−２と、これらの板部間を互いに結合させた断面Ｕ字状部１１−３とからなるものと見なすこともできる。その場合には、フック部１４ａ，１４ｂは対の板部１１−１，１１−２からそれぞれ延出しているといえる。
【００１５】
図１のコネクタ留め具１０の作製方法について説明する。
【００１６】
まず金属製の平板材を用意し、その平板材にプレス加工を施して図２に示す形状を打ち抜く。この形状は無駄なスペースの少ない比較的単純な形状であるため、作製に使用する材料の無駄を少なくできる。
【００１７】
図２の形状において、保持部１１は平板状態にある。またフック部１４ａ，１４ｂは平板状態の保持部１１の第２の方向Ｄ２における一端１１ａ及び他端１１ｂから互いに反対向きに延出している。また、保持部１１の第２の方向Ｄ２にのびた両側縁１１ｃ，１１ｄには圧入部１３が形成されている。なお、係止部１６ａ，１６ｂはバネ部１５ａ，１５ｂの延出端部から第３の方向Ｄ３において互いに反対向きに突出している。
【００１８】
次に、保持部１１を一端１１ａ及び他端１１ｂの間、好ましくは、破線１８で示した中央部でＵ字状に折り曲げ、バネ部１５ａ，１５ｂを互いに間隔をもって対向させる。こうして、ロック部１２を形成する。
【００１９】
上述したコネクタ留め具１０は、図３に示すように、コネクタ２０のインシュレータ２１に圧入固定される。即ち、インシュレータ２１の座部２２にコネクタ留め具１０の圧入部１３よりもやや小さ目の孔を形成し、この孔に圧入部１３を圧入する。なお、２４は導電性のコンタクトを示す。
【００２０】
圧入部１３は対の板部１１−１，１１−２のそれぞれの両側の計４側辺にあり、インシュレータ２１への保持強度が高い留め具１０が提供できる。
【００２１】
上述したコネクタ２０を、図４に示すように、接続対象物としての回路基板３０に搭載する。即ち、インシュレータ２１を回路基板３０の一面に載置するとともに、コンタクト２４を回路基板３０の電気回路に半田付け等により接続する。その際、回路基板３０の貫通穴３１にロック部１２を挿通させるする。ロック部１２の挿通は、バネ部１５ａ，１５ｂが弾力的に撓むことにより容易に行われる。係止部１６ａ，１６ｂが貫通穴３１を通過すると、バネ部１５ａ，１５ｂが復元し、図５に示すように係止部１６ａ，１６ｂが回路基板３０の一面に係合することでコネクタ２０が回路基板３０に固定される。
【００２２】
バネ部１５ａ，１５ｂ間にそれらの撓みを許すためのスペースが不要であるため、係止部１６ａ，１６ｂの先端間の寸法を小さく作ることができ、したがって貫通穴３１を比較的小さくして、回路基板３０の配線スペースの増大を図ることができる。
【００２３】
図６−１０を参照して、本発明の第２の実施の形態に係るコネクタ留め具及びそれを用いたコネクタについて説明する。
【００２４】
図６（ａ），（ｂ），（ｃ）に示すコネクタ留め具４０は、金属製の平板材をプレス加工して製作されたものであり、コネクタに保持される保持部４１と、保持部４１から連続して形成されたロック部４２とを有している。保持部４１は、一端４１ａの一部と他部との間でＵ字状に折り返された形状を有し、かつ一端４１ａと他端４１ｂとの間にのびた両側縁４１ｃ，４１ｄに矢じり状の圧入部４３を有している。
【００２５】
ロック部４２は一対のフック部４４ａ，４４ｂを有している。一方のフック部４４ａは、保持部４１の一端４１ａから延出形成された、弾性を備えたバネ部４５ａと、バネ部４５ａの延出端部に形成された、回路基板などの接続対象物に係止するための係止部４６ａとを備えている。他方のフック部４４ｂは、保持部４１の他端４１ｂから延出形成された、弾性を備えたバネ部４５ｂと、バネ部４５ｂの延出端部に形成された、接続対象物に係止するための係止部４６ｂとを備えている。バネ部４５ａ，４５ｂは第１の方向Ｄ１、即ち、板材の板厚方向において互いに対向している。また、係止部４６ａ及び４６ｂは、バネ部４５ａ，４５ｂからみて互いに反対側に突出し、合せて矢じり状をなしている。
【００２６】
保持部４１は、互いに間隔をおいて対向した対の板部４１−１，４１−２と、これらの板部間を互いに結合させた断面Ｕ字状部４１−３とからなるものと見なすこともできる。その場合には、フック部４４ａ，４４ｂは対の板部４１−１，４１−２からそれぞれ延出しているといえる。
【００２７】
図６のコネクタ留め具４０の作製方法について説明する。
【００２８】
まず金属製の平板材を用意し、その平板材にプレス加工を施して図７に示す形状を打ち抜く。この形状は無駄なスペースの少ない比較的単純な形状であるため、作製に使用する材料の無駄を少なくできる。さらに、線４７に沿ってシャー加工を施してフック部４４ａ，４４ｂを互いに切り離す。
【００２９】
図７の形状において、保持部４１は平板状態にある。またフック部４４ａ，４４ｂは平板状態の保持部４１の第２の方向Ｄ２における一端４１ａから互いに平行に延出している。また、保持部４１の第２の方向Ｄ２にのびた両側縁４１ｃ，４１ｄには圧入部４４が形成されている。なお、係止部４６ａ，４６ｂはバネ部４５ａ，４５ｂの延出端部から第３の方向Ｄ３において互いに同じ向きに突出している。
【００３０】
次に、保持部４１をフック部４４ａ，４４ｂの間に対応した部分、即ち、破線４８で示した中央部でＵ字状に折り曲げ、バネ部４５ａ，４５ｂを互いに間隔をもって対向させる。こうして、ロック部４２を形成する。
【００３１】
上述したコネクタ留め具４０は、図８に示すように、コネクタ５０のインシュレータ５１に圧入固定される。即ち、インシュレータ５１の座部５２にコネクタ留め具４０の圧入部４３よりもやや小さ目の孔を形成し、この孔に圧入部４３を圧入する。なお、５４は導電性のコンタクトを示す。
【００３２】
上述したコネクタ５０を、図９に示すように、接続対象物としての回路基板６０に搭載する。即ち、インシュレータ５１を回路基板６０の一面に載置するとともに、コンタクト５４を回路基板６０の電気回路に半田付け等により接続する。その際、回路基板６０の貫通穴６１にロック部４２を挿通させるする。ロック部４２の挿通は、バネ部４５ａ，４５ｂが弾力的に撓むことにより容易に行われる。係止部４６ａ，４６ｂが貫通穴６１を通過すると、バネ部４５ａ，４５ｂが復元し、図１０に示すように係止部４６ａ，４６ｂが回路基板６０の一面に係合することでコネクタ５０が回路基板６０に固定される。
【００３３】
バネ部４５ａ，４５ｂ間にそれらの撓みを許すためのスペースが不要であるため、係止部４６ａ，４６ｂの先端間の寸法を小さく作ることができ、したがって貫通穴６１を比較的小さくして、回路基板６０の配線スペースの増大を図ることができる。
【００３４】
なお、コネクタ留め金具は、圧入に限らず、例えばインサート成形やモールドイン等の他の構造によってコネクタに保持されてもよい。
【００３５】
【発明の効果】
以上説明したように、作製に使用する材料の無駄を少なくでき、かつ接続対象物の穴を比較的小さくして、配線スペースの増大を図ることの可能なコネクタ留め金具を提供できる。
【図面の簡単な説明】
【図１】本発明の第１の実施の形態に係るコネクタ留め具を示し、（ａ）は正面図、（ｂ）は側面図である。
【図２】図１のコネクタ留め具の展開図である。
【図３】図１のコネクタ留め具を備えたコネクタの概略説明図である。
【図４】図３のコネクタを回路基板に搭載した状態を示した断面図である。
【図５】図４の要部のみを示した拡大底面図である。
【図６】本発明の第２の実施の形態に係るコネクタ留め具を示し、（ａ）は正面図、（ｂ）は左側面図、（ｃ）は右側面図である。
【図７】図６のコネクタ留め具の展開図である。
【図８】図６のコネクタ留め具を備えたコネクタの概略説明図である。
【図９】図８のコネクタを回路基板に搭載した状態を示した断面図である。
【図１０】図９の要部のみを示した拡大底面図である。
【符号の説明】
１０  コネクタ留め具
１１  保持部
１１ａ  一端
１１ｂ  他端
１１ｃ，１１ｄ  側縁
１１−１，１１−２  板部
１１−３  断面Ｕ字状部
１２  ロック部
１３  圧入部
１４ａ，１４ｂ  フック部
１５ａ，１５ｂ  バネ部
１６ａ，１６ｂ  係止部
２０  コネクタ
２１  インシュレータ
２４  コンタクト
３０  回路基板
３１  貫通穴
４０  コネクタ留め具
４１  保持部
４１ａ  一端
４１ｂ  他端
４１ｃ，４１ｄ  側縁
４１−１，４１−２  板部
４１−３  断面Ｕ字状部
４２  ロック部
４３  圧入部
４４ａ，４４ｂ  フック部
４５ａ，４５ｂ  バネ部
４６ａ，４６ｂ  係止部
５０  コネクタ
５１  インシュレータ
５４  コンタクト
６０  回路基板
６１  貫通穴
【図１】
2004296369.tif 000003
【図２】
2004296369.tif 000004
【図３】
2004296369.tif 000005
【図４】
2004296369.tif 000006
【図５】
2004296369.tif 000007
【図６】
2004296369.tif 000008
【図７】
2004296369.tif 000009
【図８】
2004296369.tif 000010
【図９】
2004296369.tif 000011
【図１０】
2004296369.tif 000012